(57)【要約】【課題】漫画データ生成装置、その方法、そのコンピュータプログラム、及び漫画データ表示装置を提供する。【解決手段】複数のレイヤを含むページを２以上のページ断片に分割するための分割信号が入力されるように制御する分割入力制御部と、分割信号に基づいて、ページをページ断片に分割し、複数のレイヤそれぞれをレイヤ断片に分割し、レイヤ断片それぞれが、ページ断片のうち少なくともいずれか１つに含まれるように設定する分割処理部と、ユーザ端末機において、ページ断片それぞれに対して分割ページを生成する分割ページ生成部と、を含む漫画データ生成装置を開示する。【選択図】図６
2016177799.tif 000002
【特許請求の範囲】
【請求項１】
複数のレイヤを含むページを２以上のページ断片に分割するための分割信号が入力されるように制御する分割入力制御部と、
前記分割信号に基づいて、前記ページをページ断片に分割し、前記複数のレイヤそれぞれをレイヤ断片に分割し、前記レイヤ断片それぞれが、前記ページ断片のうち少なくともいずれか１つに含まれるように設定する分割処理部と、
ユーザ端末機において、前記ページ断片それぞれについて分割ページを生成する分割ページ生成部と、を含む漫画データ生成装置。
【請求項２】
前記分割ページ生成部は、
前記ページ断片それぞれが異なる時間順序でローディングされるように、前記ページ断片それぞれについて異なる順序を有する分割ページを生成することを特徴とする請求項１に記載の漫画データ生成装置。
【請求項３】
前記分割信号は、
前記ページに対応するページ領域を横切る分割線に関する情報を含み、
前記分割処理部は、
前記ページ領域及び前記分割線を利用して新たに形成される閉領域それぞれに対応するように、前記ページを前記ページ断片に分割することを特徴とする請求項２に記載の漫画データ生成装置。
【請求項４】
前記分割処理部は、
前記分割線が、前記ページ領域内で、前記複数のレイヤそれぞれが占有するレイヤ領域を横切るか否かを判断し、前記分割線が前記レイヤ領域を横切る場合、前記レイヤ領域及び前記分割線を利用して新たに形成される閉領域それぞれに対応するように、前記レイヤを前記レイヤ断片に分割することを特徴とする請求項３に記載の漫画データ生成装置。
【請求項５】
前記分割処理部は、
前記レイヤ断片が前記ページ断片に対応するページ断片領域内に位置した場合、前記レイヤ断片が前記ページ断片に含まれるように設定することを特徴とする請求項４に記載の漫画データ生成装置。
【請求項６】
前記分割処理部は、
前記分割線が前記レイヤ領域を横切る場合、前記レイヤ領域に適用されたエフェクトを前記ページ断片それぞれに分割適用することを特徴とする請求項４または５に記載の漫画データ生成装置。
【請求項７】
前記分割ページ生成部は、
前記ページ断片に対して、前記ページから前記ページ断片を除いた残りのページ断片に対応するページ断片領域を空白領域として、前記分割ページを生成することを特徴とする請求項３から請求項６のうちいずれか１項に記載の漫画データ生成装置。
【請求項８】
前記分割ページそれぞれは、
前記ページと同一サイズであることを特徴とする請求項７に記載の漫画データ生成装置。
【請求項９】
前記分割ページ生成部は、
前記ユーザ端末機において、前記分割ページ相互が同一表示位置に重畳されて表示されるように、前記分割ページそれぞれに、前記ページに対応する位置識別子を割り当てることを特徴とする請求項７または請求項８に記載の漫画データ生成装置。
【請求項１０】
前記ページ領域は、漫画データ表示装置において表示領域として表示されるキャンバス領域を含み、
前記ページ断片に前記キャンバス領域の一部が含まれるように、前記分割線は、前記キャンバス領域を横切ることを特徴とする請求項３から請求項９のうちいずれか１項に記載の漫画データ生成装置。
【請求項１１】
前記分割ページ生成部は、
前記分割線及び前記ページ断片の相対位置に基づいて、前記ページ断片のローディング順序を決定し、前記ページ断片のローディング順序に従って、前記分割ページの先後順序を決定することを特徴とする請求項３から請求項１０のうちいずれか１項に記載の漫画データ生成装置。
【請求項１２】
前記分割入力制御部は、
前記ページに複数のカットが存在する場合、前記カット間の余白を横切る候補分割線を生成し、前記候補分割線のうち１以上に対する選択信号が入力されるように制御し、
前記分割処理部は、
前記候補分割線のうち少なくとも１以上を前記分割線として、前記ページを分割することを特徴とする請求項３から請求項１１のうちいずれか１項に記載の漫画データ生成装置。
【請求項１３】
複数のレイヤを含む２以上のページ断片に分割されて生成された２以上の分割ページを含む漫画データの表示領域を表示する表示部と、
前記分割ページ相互に付与された位置識別子が同一である場合、前記分割ページ相互が重畳して表示されるように、前記分割ページの表示位置を調整しながら、前記漫画データが表示されるように制御する制御部と、を含む漫画データ表示装置。
【請求項１４】
漫画データ生成装置がページを分割する方法において、前記漫画データ生成装置は、分割入力制御部、分割処理部及び分割ページ生成部を含み、
前記分割入力制御部は、複数のレイヤを含むページを２以上のページ断片に分割するための分割信号が入力されるように制御し、
前記分割処理部は、前記分割信号に基づいて、前記ページをページ断片に分割し、
前記分割処理部は、前記複数のレイヤそれぞれをレイヤ断片に分割し、
前記分割処理部は、前記レイヤ断片それぞれが、前記ページ断片のうち少なくともいずれか１つに含まれるように設定し、
前記分割ページ生成部は、前記ページ断片それぞれに対して分割ページを生成すること、を含む漫画データ生成方法。
【請求項１５】
前記分割ページを生成することは、
前記分割ページ生成部が、前記ページ断片それぞれが異なる時間順序でローディングされるように、前記ページ断片それぞれに異なる順序を有する分割ページを生成することを特徴とする請求項１４に記載の漫画データ生成方法。
【請求項１６】
前記分割信号は、
前記ページに対応するページ領域を横切る分割線に関する情報を含み、
前記ページをページ断片に分割することは、
前記分割処理部が、前記ページ領域及び前記分割線を利用して新たに形成される閉領域それぞれに対応するように、前記ページを前記ページ断片に分割することを特徴とする請求項１５に記載の漫画データ生成方法。
【請求項１７】
前記複数のレイヤそれぞれをレイヤ断片に分割することは、
前記分割処理部は、前記分割線が、前記ページ領域内で、前記複数のレイヤそれぞれが占有するレイヤ領域を横切るか否かを判断し、前記分割線が前記レイヤ領域を横切る場合、前記レイヤ領域及び前記分割線を利用して新たに形成される閉領域それぞれに対応するように、前記レイヤを前記レイヤ断片に分割することを特徴とする請求項１６に記載の漫画データ生成方法。
【請求項１８】
複数のレイヤを含む２以上のページ断片に分割されて生成された２以上の分割ページを含む漫画データの表示領域を表示し、
前記分割ページ相互に付与された位置識別子が同一である場合、前記分割ページ相互が重畳して表示されるように、前記分割ページの表示位置を調整しながら、前記漫画データが表示されるように制御すること、を含む漫画データ表示方法。
【請求項１９】
分割入力制御部によって、複数のレイヤを含むページを２以上のページ断片に分割するための分割信号が入力されるように制御し、
分割処理部によって、前記分割信号に基づいて、前記ページをページ断片に分割し、
前記分割処理部によって、前記複数のレイヤそれぞれをレイヤ断片に分割し、
前記分割処理部によって、前記レイヤ断片それぞれが、前記ページ断片のうち少なくともいずれか１つに含まれるように設定し、
前記分割ページ生成部によって、前記ページ断片それぞれに対して分割ページを生成すること、をコンピュータに遂行させるためのコンピュータプログラム。
【発明の詳細な説明】
【技術分野】
【０００１】
本発明は、漫画データ生成装置、その方法、そのコンピュータプログラム、及び漫画データ表示装置に関し、より詳細には、漫画ページを分割して分割ページを生成する漫画データ生成装置、その方法、そのコンピュータプログラム、及び分割されたページを含む漫画データを表示する漫画データ表示装置に関する。
【背景技術】
【０００２】
漫画は、滑稽、諧謔、風刺などを介して、対象の特徴を誇張したり省略したりして、人生や社会を風刺、批判する絵を含み、その内容によって、純情、武侠、アクション、コミック、スポーツ、ＳＦ（ｓｃｉｅｎｃｅ  ｆｉｃｔｉｏｎ）など多様に区分される。漫画は、絵（イメージ）と文章（テキスト）との組み合わせという視覚的体系を使用して、人々の複雑な態様を表現するものであり、単に文章だけからなる一般書籍に比べ、読者の関心を引くのにより効果的である。
【０００３】
一方、近年になって通信技術が発展するにつれ、漫画は、伝統的な漫画本から脱し、インターネットなどを介して提供されている。なお、関連する先行特許文献としては、特許文献１がある。
【先行技術文献】
【特許文献】
【０００４】
【特許文献１】韓国公開特許第１０−２００９−００８４２２９号公報
【発明の概要】
【発明が解決しようとする課題】
【０００５】
本発明が解決しようとする課題は、漫画データ作成者の意図どおりに漫画ページを分割する漫画データ生成装置、その方法、そのコンピュータプログラムを提供することである。
【０００６】
本発明が解決しようとする他の課題は、複数のレイヤを含むページに対して、レイヤ及びページを共に分割し、分割されたレイヤが分割されたページに含まれるように設定する漫画データ生成装置、その方法及びそのコンピュータプログラムを提供することである。
【０００７】
本発明が解決しようとする他の課題は、分割されたページが自然に連結されて表示されるように制御する漫画データ表示装置を提供することである。
【課題を解決するための手段】
【０００８】
本発明の一実施形態は、複数のレイヤを含むページを２以上のページ断片に分割するための分割信号が入力されるように制御する分割入力制御部と、前記分割信号に基づいて、前記ページをページ断片に分割し、前記複数のレイヤそれぞれをレイヤ断片に分割し、前記レイヤ断片それぞれが、前記ページ断片のうち少なくともいずれか１つに含まれるように設定する分割処理部と、ユーザ端末機において、前記ページ断片それぞれについて分割ページを生成する分割ページ生成部と、を含む漫画データ生成装置を開示する。
【０００９】
本発明の他の一実施形態は、複数のレイヤを含むページを２以上のページ断片に分割して生成された分割ページを含む漫画データの表示領域を表示する表示部と、前記分割ページ相互に付与された位置識別子が同一である場合、前記分割ページ相互が重畳して表示されるように、前記分割ページの表示位置を調整しながら、前記漫画データが表示されるように制御する制御部と、を含む漫画データ表示装置を開示する。
【００１０】
本発明のさらに他の一実施形態は、漫画データ生成装置がページを分割する方法において、前記漫画データ生成装置は、分割入力制御部、分割処理部及び分割ページ生成部を含み、前記分割入力制御部は、複数のレイヤを含むページを２以上のページ断片に分割するための分割信号が入力されるように制御し、前記分割処理部は、前記分割信号に基づいて前記ページをページ断片に分割し、前記分割処理部は、前記複数のレイヤそれぞれをレイヤ断片に分割し、前記分割処理部は、前記レイヤ断片それぞれが前記ページ断片のうち少なくともいずれか１つに含まれるように設定し、前記分割ページ生成部は、前記ページ断片それぞれについて分割ページを生成すること、を含む漫画データ生成方法を開示する。
【００１１】
本発明のさらに他の一実施形態は、複数のレイヤを含むページを２以上のページ断片に分割して生成された分割ページを含む漫画データの表示領域を表示し、前記分割ページ相互に付与された位置識別子が同一である場合、前記分割ページ相互が重畳して表示されるように、前記分割ページの表示位置を調整しながら、前記漫画データが表示されるように制御すること、を含む漫画データ表示方法を開示する。
【００１２】
本発明のさらに他の一実施形態は、コンピュータに前記方法を実行させるために媒体に保存されたコンピュータプログラムを開示する。
【００１３】
本発明のさらに他の一実施形態は、前記方法をコンピュータに実行させるためのプログラムを配布する配布サーバを開示する。
【発明の効果】
【００１４】
本発明の一実施形態における漫画データ生成装置、その方法及びそのコンピュータプログラムによれば、漫画データ作成者の意図どおりに漫画ページを分割し、漫画ページのローディング速度を改善し、及び漫画ページ内のエフェクト適用範囲を調節することができる。
【００１５】
また、本発明の一実施形態における漫画データ生成装置、その方法及びそのコンピュータプログラムによれば、複数のレイヤを含むページは、レイヤ及びページが共に分割され、分割されたレイヤは分割されたページに含まれる。
【００１６】
また、本発明の一実施形態における漫画データ表示装置によれば、分割されたページが自然に連結されて表示されるように制御することができる。
【図面の簡単な説明】
【００１７】
【図１】本発明の一実施形態における漫画データ提供システムの構成を示した図である。
【図２】図１に示された漫画データ生成装置の内部構成の一例を示したブロック図である。
【図３】図２に示された制御部の一例を示したブロック図である。
【図４】図１に示された漫画データ表示装置の内部構成の一例を示したブロック図である。
【図５】本発明の一実施形態における漫画データ生成方法を示したフローチャートである。
【図６】本発明の実施形態における漫画データ生成方法の一例である。
【図７】本発明の実施形態における漫画データ生成方法の他の例である。
【図８】本発明の実施形態における漫画データ生成方法のさらに他の例である。
【図９】本発明の実施形態における漫画データ生成方法及び漫画データ表示方法の一例である。
【図１０】本発明の実施形態における漫画データ生成方法のさらに他の例である。
【発明を実施するための形態】
【００１８】
本発明は、多様な変更を加えられてもよく、さまざまな実施形態を有してもよいが、特定の実施形態を図面に例示し、発明の詳細な説明において詳しく説明する。本発明の効果、特徴、及びそれらを実現する方法は、図面と共に詳細に説明する実施形態を参照すれば明確になるであろう。しかし、本発明は、以下で開示する実施形態に限定されるものではなく、多様な形態によって実現される。以下の実施形態において、「第１」、「第２」のような用語は限定的な意味ではなく、１つの構成要素を他の構成要素と区別する目的で使用される。また、単数の表現は、文脈上明らかに異なる意味である場合を除き、複数の表現を含む。また、「含む」、「有する」というような用語は、明細書中に記載された特徴または構成要素が存在することを意味するものであり、１以上の他の特徴または構成要素が付加される可能性をあらかじめ排除するものではない。また、図面においては、説明の便宜のために、構成要素の大きさが誇張または縮小される場合がある。例えば、図面において示された各構成の大きさ及び厚みは、説明の便宜のために任意に示されており、本発明は、必ずしも図示されているところに限定されるものではない。
【００１９】
ここで、「漫画データ」とは、漫画データ作成者、漫画作家によって作成されたデータをいい、１つの漫画データは、１以上のページを含んで構成される。
【００２０】
ここで、「ページ」とは、イメージファイルであって、漫画データ表示装置にローディングされるイメージファイルの単位に相当し、１枚のページは、１以上のレイヤを含んで構成される。
【００２１】
ここで、「レイヤ」とは、漫画場面中に存在する多様な要素を独立して編集するために使用される透明背景の層であり、それぞれのレイヤは、前景として１以上のイメージまたはテキストを含んでもよい。
【００２２】
また、１枚のページは、１以上のカットを含んで構成される。
【００２３】
ここで、「カット」とは、１つの漫画場面（ｓｃｅｎｅ）に相当するページ内の一領域であり、それぞれのカットは、１以上のレイヤを介して形成される。
【００２４】
ここで、「表示領域」とは、漫画データにおいて、表示部を介してユーザに表示される領域をいう。漫画データは、ユーザイベントに対応して表示される領域が移動し、このような漫画データの移動を介して表示領域が変更され、それによって、表示される漫画データも変更される。
【００２５】
ここで、「エフェクト」とは、漫画データの全部または一部に含まれるアニメーション動作をいい、特にレイヤに含まれるアニメーション動作をいう。さらに具体的には、エフェクトは、レイヤの移動、分裂、下降、上昇、膨脹、ゆっくりとした移動、迅速な移動あるいは色変更を生じさせる動作、またはカットの遠近感、時間差移動、回転、透明処理、スケール変更、クリッピング領域設定を含むが、これらに限定されない。また、他の類型のエフェクトが含まれてもよい。このようなアニメーション動作は、エフェクトが適用されたレイヤを含むページ内でのみ表示される。例えば、第１ページの下端に第２ページが連続して配置される場合に、第１ページに含まれ、移動アニメーションが適用された特定レイヤが、下方向に移動して第１ページ領域を外れたとしても、当該レイヤは、第２ページ領域には表示されない。
【００２６】
ここで、カットまたはレイヤは、属性情報を含み、カットまたはレイヤの属性情報は、位置情報、階層情報、またはそれ以外のエフェクト情報を含んでもよい。
【００２７】
さらに具体的には、「位置情報」とは、移動または時間差のエフェクトのように、固定されずに移動するレイヤまたはカットに関する情報であり、エフェクトが設定されたレイヤまたはカットが表示される位置をいう。位置情報は、カットの内部または外部に表示される位置を、ピクセル値またはパーセント値で指定するものでもよい。例えば、第１レイヤを含む第１カットを仮定すると、第１レイヤの最初位置及び最終位置は、第１カットの位置に設定される。
【００２８】
「階層情報」とは、カットまたはレイヤなどに含まれる複数のレイヤ（またはサブレイヤ）の表示順序に関する情報であり、最も上に表示されるレイヤから、最も下に表示されるレイヤまで順次増減する数字によって設定される。１つのカットまたはレイヤに含まれる複数のレイヤ（またはサブレイヤ）は、設定された階層情報に基づいて表示され、上に表示されるレイヤと下に表示されるレイヤの一部領域が重なる場合、上に表示されるレイヤだけが表示される。
【００２９】
その他のエフェクト情報は、移動情報、速度情報、音楽情報、振動情報、色相情報、エフェクト表示開始時点などを含んでもよい。例えば、エフェクト情報は、レイヤまたはカットの最初位置、最終位置、開始時点、終了時点、あるいは色変更される時点または地点に関する情報、最初の色情報である第１色、変更された後の色情報である第２色を含んでもよい。また、エフェクト情報は、２倍、３倍、１／２倍、１／３倍のように移動速度を示す情報を含んでもよい。
【００３０】
以下、添付の図面を参照し、本発明の実施形態について詳細に説明するが、図面を参照して説明するとき、同一であるか対応する構成要素は、同一の図面参照符号を付し、それについての重複説明は省略する。
【００３１】
図１は、本発明の一実施形態における漫画データ提供システム１０の構成を示した図である。
【００３２】
図１を参照すると、本発明の実施形態における漫画データ提供システム１０は、漫画データ表示装置２００、漫画データサーバ１００、通信網３００、漫画データ生成装置４００を含んでもよい。
【００３３】
漫画データサーバ１００は、ユーザ端末機に、漫画データまたは漫画データ表示手段をアプリケーション形態で提供する。漫画データサーバ１００は、作家別、話数別、作品別、曜日別に区分して提供される漫画データを提供してもよく、連載済みの作品を提供してもよい。漫画データサーバ１００は、ユーザ端末機からの要請により、選択的に漫画データを提供する。漫画データサーバ１００は、ユーザ端末機に、漫画データ表示装置２００に搭載される漫画データ表示手段をアプリケーション形態で通信網３００を介して伝送してもよい。また、漫画データサーバ１００は、漫画データ生成装置４００から、生成された漫画データを受領して保存してもよい。
【００３４】
漫画データ生成装置４００は、漫画データ作成者（例えば、漫画作家）に、漫画データを生成するための手段を提供する。漫画データ生成装置４００は、二次元の漫画データを簡単に生成するためのユーザ・インターフェースを提供する。漫画データ生成装置４００は、漫画データに含まれる１以上のページ生成機能、ページに含まれる１以上のカット生成機能、カットに含まれる１以上のレイヤ生成機能、レイヤにエフェクトを適用するエフェクト入力機能などを提供する。また、漫画データ生成装置４００は、エフェクトが適用される範囲を適切に調整したり、ローディングされる漫画データの単位を細分化するためにページを分割したりする機能を提供する。このとき、漫画データ生成装置４００は、１枚のページを２以上のページ断片に分割して分割ページを生成してもよい。
【００３５】
複数の漫画データ生成装置４００は、有線または無線通信環境においてウェブサービスを利用することができる通信端末機を意味する。ここで、漫画データ生成装置４００は、ユーザのパソコン４０１であってもよく、またはユーザの携帯用端末機４０２であってもよい。図１では、携帯用端末機４０２はスマートフォンとして図示されているが、本発明の思想は、それに制限されるものではなく、前述のようにウェブブラウジングが可能なアプリケーションを搭載した端末であれば、制限なしに漫画データ生成装置４００として利用可能である。
【００３６】
さらに詳細に説明すれば、漫画データ生成装置４００は、コンピュータ（例えば、デスクトップ、ラップトップ、タブレットなど）、メディアコンピュータプラットフォーム（例えば、ケーブル、衛星セットトップボックス、デジタルビデオレコーダ）、ハンドヘルドコンピュータデバイス（例えば、ＰＤＡ（ｐｅｒｓｏｎａｌ  ｄｉｇｉｔａｌ  ａｓｓｉｓｔａｎｔ）、電子メールクライアントなど）、携帯電話の任意の形態、または他のコンピュータまたはコミュニケーションプラットフォームの任意の形態を含んでもよいが、本発明は、それらに限定されるものではない。
【００３７】
漫画データ表示装置２００は、漫画データサーバ１００から受信した漫画データ、または漫画データ表示装置２００に保存されている漫画データを、ユーザイベントに対応して表示する装置である。ここで、漫画データは、ページ全体、及び漫画データ生成装置４００によって生成された分割ページを含んでもよい。漫画データ表示装置２００は、ユーザイベントに対応して漫画データを移動させながら、ユーザ端末機の表示部を介して表示される表示領域を変更して、漫画データを表示する。ここで、漫画データ表示装置２００は、漫画データページに付与された位置識別子に基づいて、ページを順に配置して表示してもよい。このとき、分割ページは、分割される前のページと同一の位置識別子が付与された場合、当該分割ページ相互が重畳されて表示されるように、当該分割ページの表示位置を調整してもよい。
【００３８】
このようにして、漫画データ生成装置は、漫画ページのローディング速度を改善したり、及び漫画ページ内のエフェクト適用範囲を調節したりしてもよい。
【００３９】
複数の漫画データ表示装置２００は、有線または無線通信環境においてウェブサービスを利用することができる通信端末機を意味する。ここで、漫画データ表示装置２００は、ユーザのパソコン２０１であってもよく、またはユーザの携帯用端末機２０２であってもよい。図１では、携帯用端末機２０２がスマートフォンとして図示されているが、本発明の思想は、それらに制限されるものではなく、前述のようにウェブブラウジングが可能なアプリケーションを搭載した端末であれば、制限なしに漫画データ表示装置２００として利用可能である。
【００４０】
さらに詳細に説明すれば、漫画データ表示装置２００は、コンピュータ（例えば、デスクトップ、ラップトップ、タブレット）、メディアコンピュータプラットフォーム（例えば、ケーブル、衛星セットトップボックス、デジタルビデオレコーダ）、ハンドヘルドコンピュータデバイス（例えば、ＰＤＡ、電子メールクライアントなど）、携帯電話の任意の形態、または他種のコンピュータまたはコミュニケーションプラットフォームの任意の形態を含んでもよいが、本発明は、これらに限定されるものではない。
【００４１】
一方、通信網３００は、複数の漫画データ表示装置２００と、漫画データサーバ１００とを連結する役割を行う。すなわち、通信網３００は、漫画データ表示装置２００が漫画データサーバ１００に接続した後、データを送受信することができるように、接続経路を提供する通信網を意味する。通信網３００は、例えば、ＬＡＮｓ（ｌｏｃａｌ  ａｒｅａ  ｎｅｔｗｏｒｋｓ）、ＷＡＮｓ（ｗｉｄｅ  ａｒｅａ  ｎｅｔｗｏｒｋｓ）、ＭＡＮｓ（ｍｅｔｒｏｐｏｌｉｔａｎ  ａｒｅａ  ｎｅｔｗｏｒｋｓ）、ＩＳＤＮｓ（ｉｎｔｅｇｒａｔｅｄ  ｓｅｒｖｉｃｅ  ｄｉｇｉｔａｌ  ｎｅｔｗｏｒｋｓ）などの有線ネットワークや、無線ＬＡＮｓ、ＣＤＭＡ、ブルートゥース（Ｂｌｕｅｔｏｏｔｈ（登録商標））、衛星通信などの無線ネットワークを網羅することができるが、本発明の範囲は、それらに限定されるものではない。
【００４２】
本発明の実施形態における漫画データ生成装置４００は、複数のレイヤを含むページを、レイヤと共に２以上のページ断片に分割し、ページ断片を利用して、互いに異なる順序を有する分割ページを生成してもよい。これによって、本発明の実施形態における漫画データ表示装置２００は、分割ページを順次ローディングしながら、同一位置に重畳的に表示してもよい。
【００４３】
図２は、図１に示した漫画データ生成装置４００の内部構成の一例を示したブロック図である。
【００４４】
図２を参照すると、本発明の実施形態における漫画データ生成装置４００は、制御部４１０、通信部４２０、保存部４３０、入力部４４０、及び表示部４５０を含んでもよい。
【００４５】
制御部４１０は、入力部４４０を介して入力された１以上のイメージファイル（以下、「ページ」という。）、入力された分割信号、分割信号に含まれる分割線に関する情報に基づいて、分割ページを生成する。
【００４６】
通信部４２０は、漫画データ生成装置４００と漫画データサーバ１００との通信を可能にする１以上の構成要素を含んでもよい。例えば、通信部４２０は、近距離通信部、移動通信部を含んでもよい。近距離通信部（ｓｈｏｒｔ−ｒａｎｇｅ  ｗｉｒｅｌｅｓｓ  ｃｏｍｍｕｎｉｃａｔｉｏｎ  ｕｎｉｔ）は、ブルートゥース（Ｂｌｕｅｔｏｏｔｈ（登録商標））通信部、ＢＬＥ（Ｂｌｕｅｔｏｏｔｈ ｌｏｗ  ｅｎｅｒｇｙ）通信部、近距離無線通信部（ｎｅａｒ  ｆｉｅｌｄ  ｃｏｍｍｕｎｉｃａｔｉｏｎ  ｕｎｉｔ）、ＷＬＡＮ（Ｗｉ−Ｆｉ（登録商標）（ｗｉｒｅｌｅｓｓ  ｆｉｄｅｌｉｔｙ））通信部、ジグビー（ＺｉｇＢｅｅ（登録商標））通信部、赤外線（ＩｒＤＡ（登録商標）：ｉｎｆｒａｒｅｄ  ｄａｔａ  ａｓｓｏｃｉａｔｉｏｎ）通信部、ＷＦＤ（Ｗｉ−Ｆｉ  ｄｉｒｅｃｔ）通信部、ＵＷＢ（ｕｌｔｒａ  ｗｉｄｅｂａｎｄ）通信部、Ａｎｔ＋（登録商標）通信部などを含んでもよいが、これらに限定されない。移動通信部は、移動通信網上で、基地局、外部の端末、サーバのうちの少なくとも１つと無線信号を送受信する。ここで、無線信号は、音声コール信号、画像通話コール信号、または文字／マルチメディアメッセージ送受信による多様な形態のデータを含んでもよい。通信部４２０は、漫画データサーバ１００と通信し、漫画データを獲得し、漫画データサーバ１００から、漫画データを表示するためのアプリケーションを獲得する。
【００４７】
保存部４３０は、通信部４２０を介して獲得された漫画データをメモリ（図示せず）に保存してもよい。
【００４８】
メモリは、制御部４１０が処理するデータ、または通信部４２０を介して獲得したデータを、一時的または永久的に保存する機能を遂行する。ここで、メモリは、磁気記録媒体（ｍａｇｎｅｔｉｃ  ｓｔｏｒａｇｅ  ｍｅｄｉａ）またはフラッシュ記録媒体（ｆｌａｓｈ  ｓｔｏｒａｇｅ  ｍｅｄｉａ）を含んでもよいが、本発明の範囲は、これらに限定されない。
【００４９】
保存部４３０は、ユーザが入力したページを、ページ断片に分割する作業、ページに含まれるレイヤを、レイヤ断片に分割する作業、レイヤ断片を、ページ断片に含まれるように設定する作業、ページ断片を、順序を有する分割ページとして生成する作業などを遂行するための制御ソフトウェアを保存するためのプログラム保存部（図示せず）をさらに含んでもよい。
【００５０】
入力部４４０は、ユーザが、漫画データ生成装置を制御するためのイベントまたはデータを入力する手段を意味する。例えば、入力部４４０には、キーパッド（ｋｅｙ  ｐａｄ）、ドームスイッチ（ｄｏｍｅ  ｓｗｉｔｃｈ）、タッチパッド（接触式静電容量方式、圧力式抵抗膜方式、赤外線感知方式、表面超音波伝導方式、積分式張力測定方式、ピエゾ効果方式など）、ジョグホイール、ジョグスイッチなどがあるが、これらに限定されない。
【００５１】
入力部４４０は、ユーザ入力を受け付ける。例えば、入力部４４０は、分割候補線の位置を調整するためのドラッグ入力、分割候補線に対する選択入力などを受け付けてもよい。
【００５２】
表示部４５０は、ページを分割するためのユーザ・インターフェースを表示する。表示部４５０は、分割される前のページ、ページに含まれるレイヤ、分割ページ、及び入力部４４０を介して入力されたユーザ入力などを、ユーザ・インターフェースによって表示してもよい。一方、表示部４５０とタッチパッドとがレイヤ構造をなし、タッチスクリーンとして構成される場合、表示部４５０は、出力装置以外に、入力装置としても使用される。表示部４５０は、液晶ディスプレイ（ｌｉｑｕｉｄ  ｃｒｙｓｔａｌ  ｄｉｓｐｌａｙ）、薄膜トランジスタ液晶ディスプレイ（ｔｈｉｎ  ｆｉｌｍ  ｔｒａｎｓｉｓｔｏｒ−ｌｉｑｕｉｄ  ｃｒｙｓｔａｌ  ｄｉｓｐｌａｙ）、有機発光ダイオード（ｏｒｇａｎｉｃ  ｌｉｇｈｔ−ｅｍｉｔｔｉｎｇ  ｄｉｏｄｅ）、フレキシブルディスプレイ（ｆｌｅｘｉｂｌｅ  ｄｉｓｐｌａｙ）、三次元ディスプレイ（３Ｄ  ｄｉｓｐｌａｙ）、電気泳動ディスプレイ（ｅｌｅｃｔｒｏｐｈｏｒｅｔｉｃ  ｄｉｓｐｌａｙ）のうち少なくとも１つを含んでもよい。
【００５３】
図３は、図２に示した制御部４１０の一例を示したブロック図である。
【００５４】
図３を参照すると、制御部４１０は、分割入力制御部４１１、分割処理部４１３、分割ページ生成部４１５及び表示制御部４１６を含んでもよい。
【００５５】
分割入力制御部４１１は、複数のレイヤを含むページを２以上のページ断片に分割するための分割信号が入力されるように制御する。
【００５６】
このとき、分割信号は、ページに対応するページ領域を横切る分割線に関する情報を含んでもよい。このとき、ページ領域は、二次元平面において、前記ページが占有する領域であり、漫画データ表示装置において表示領域として表示されるためのキャンバス領域と、非表示領域であって、レイヤまたはエフェクトなどの処理のためのキャンバス外領域とをいずれも含む。すなわち、非表示領域（キャンバス外領域）のみを含むページ断片あるいは分割ページが生成されないように、分割線は、常にキャンバス領域（表示領域）を横切るように設定される。
【００５７】
他の実施形態において、分割入力制御部４１１は、ページに複数のカットが存在する場合、前記カット間の余白を横切る候補分割線を自動的に生成し、前記候補分割線のうちの１以上に対する選択信号が入力されるように制御してもよい。例えば、分割入力制御部は、特定ページの上側に第１カット、左下側に第２カット、右下側に第３カットが存在する場合、前記カット間の余白として、上側と下側とを分割する第１候補分割線及び左下側と右下側を分割する第２候補分割線を生成してもよい。候補分割線が選択されることにより、新たに閉領域が形成される場合、当該候補分割線を分割線としてページが分割される。すなわち、第１候補分割線だけが選択される場合、上側と下側とにそれぞれ新たに閉領域が形成されるので、それに対応するように、前記ページが、上側分割ページと下側分割ページとに分割される。また、第１候補分割線及び第２候補分割線が選択される場合、左下側及び右下側に、それぞれ新たに閉領域が形成されるので、それに対応するように、前記下側分割ページが、左下側分割ページと右下側分割ページとに分割される。
【００５８】
すなわち、本発明の実施形態における漫画データ生成装置４００は、ページだけではなく、分割ページに対しても、さらに分割ページを生成してもよい。
【００５９】
さらに他の実施形態において、分割入力制御部４１１は、ページ領域を横切る候補分割線を自動的に生成し、前記候補分割線に対する位置調節信号が入力されるように制御してもよい。例えば、分割入力制御部４１１は、ページに対応するページ領域を横切る候補分割線の位置を調節するための信号が入力され、当該候補分割線の位置によって新たに閉領域が形成される場合、当該候補分割線を分割線としてページを分割する。
【００６０】
分割処理部４１３は、分割信号に基づいて、前記ページをページ断片に分割し、複数のレイヤそれぞれをレイヤ断片に分割し、レイヤ断片それぞれをページ断片のうち少なくともいずれか１つに含まれるように設定する。
【００６１】
分割処理部４１３は、ページ領域及び分割線を利用して、新たに形成される閉領域それぞれに対応するように、前記ページをページ断片に分割する。例えば、分割処理部４１３は、ページ領域を分割線が横方向に横切る場合、分割線を基準に、上側ページ領域及び下側ページ領域を形成し、前記ページを、上側ページ領域に対応する上側ページ断片、及び下側ページ領域に対応する下方ページ断片に分割する。
【００６２】
分割処理部４１３は、複数のレイヤそれぞれに対して、分割線がレイヤ領域を横切るか否かを判断し、分割線がレイヤ領域を横切る場合、レイヤ領域及び分割線を利用して、新たに形成される閉領域それぞれに対応するように、レイヤをレイヤ断片に分割する。例えば、分割処理部４１３は、ページに含まれるレイヤのうち、前記分割線によって横切られないレイヤは分割しない。このとき、レイヤ領域は、ページ領域において、前記レイヤが占有する領域であってもよい。
【００６３】
分割処理部４１３は、特定レイヤ断片が特定ページ断片に対応するページ断片領域内に位置する場合、当該レイヤ断片が当該ページ断片に含まれるように設定してもよい。例えば、ページ領域及び特定レイヤ領域を、分割線が横方向に横切り、ページが分割線を基準に、上側ページ断片及び下側ページ断片に分割され、当該レイヤは、上側レイヤ断片及び下側レイヤ断片に分割される場合、上側レイヤ断片は、上側ページ断片領域内に位置し、下側レイヤ断片は、下側ページ断片領域に位置するので、分割処理部４１３は、上側レイヤ断片が上側ページ断片に含まれ、下側レイヤ断片が下側ページ断片に含まれるように設定する。
【００６４】
他の実施形態において、分割線が横切るレイヤにエフェクトが適用されている場合、分割処理部４１３は、エフェクトをページ断片それぞれに分割適用してもよい。
【００６５】
ここで、エフェクトは、レイヤの移動、分裂、下降、上昇、膨脹、ゆっくりとした移動、迅速移動、または色変更を起こす動作、あるいはカットの遠近感、時間差移動、回転、透明処理、スケール変更、クリッピング領域設定を含むが、これらに限定されない。また、他の類型のエフェクトが適用されてもよい。
【００６６】
例えば、移動エフェクトが適用された第１レイヤは、最初位置及び最終位置の間の移動距離を、ユーザイベントに対応して移動してもよい。遠近感エフェクトが適用された第２レイヤは、前記第２レイヤの階層に応じて、周期的に動いてもよい。色変更エフェクトを含む第３レイヤは、共に入力された変更時点を基準に、第１色から第２色に変更される。また、ゆっくりとした移動または遅い移動のエフェクトを含む第４レイヤは、共に入力された移動速度に基づき、ユーザイベントに対応して移動する。
【００６７】
以下、第１ページ断片領域内の最初位置から、第２ページ断片領域内の最終位置に移動する移動エフェクトが適用された第１レイヤを利用して、エフェクトをページ断片それぞれに分割適用する例について、さらに具体的に説明する。
【００６８】
まず、第１レイヤが移動しながら通過する全ての領域を、前記第１レイヤの領域とする。分割線が、前記第１レイヤの領域を横切る場合、分割処理部４１３は、第１レイヤ、及び第１レイヤに適用されたエフェクトが、第１ページ断片及び第２ページ断片に共通して含まれるように設定し、第１ページ断片及び第２ページ断片に対してアニメーション動作タイマーを同期化するように設定することにより、分割される前のページにおいて、第１レイヤにアニメーション動作が遂行される場合と同一に見えるようにする。
【００６９】
分割ページ生成部４１５は、ユーザ端末機において、前記ページ断片それぞれが、異なる時間順序でローディングされるように、前記ページ断片それぞれに対して、異なる順序を有する分割ページを生成してもよい。例えば、ページ及び分割ページは、いずれも異なる時間順序を有し、前のページから次のページの方向に順次ローディングされる。
【００７０】
他の実施形態において、分割ページ生成部４１５は、特定ページ断片に対して、前記ページから当該ページ断片を除いた残りのページ断片に対応するページ断片領域を空白領域として、分割ページを生成してもよい。例えば、特定ページが、第１ページ断片及び第２ページ断片に分割された場合、分割ページ生成部４１５は、当該特定ページにおいて、第２ページ断片に対応する領域を空白領域とする第１分割ページ、及び当該特定ページにおいて、第１ページ断片に対応する領域を空白領域とする第２分割ページを生成してもよい。ここで、当該特定ページ及び分割ページは、同一サイズ（同一の大きさ）であってもよい。
【００７１】
分割ページ生成部４１５は、ユーザ端末機に、分割ページ相互が同一表示位置に重畳されて表示されるように、各分割ページに、分割前のページに対応する位置識別子を割り当ててもよい。例えば、特定ページが分割され、第１分割ページ及び第２分割ページが生成された場合、分割されなかったならば当該ページが表示されたであろう位置に、第１分割ページが表示されるように、第１分割ページに、当該ページの位置識別子を割り当て、第１分割ページと同一表示位置に、第２分割ページが重畳されて表示されるように、第２分割ページにも、当該ページの位置識別子を割り当ててもよい。第１分割ページが当該位置に表示される場合、第１ページ断片に該当する部分だけが表示され、空白領域に該当する部分は表示されず、第２分割ページが第１分割ページ上に重畳的に表示されると、空白領域に、第２ページ断片に該当する部分がさらに表示され、最終的に、分割される前のページ（分割前のページ）と同一サイズの領域に、空白領域なしに分割ページが表示される。
【００７２】
さらに他の実施形態において、分割ページ生成部４１５は、分割線及びページ断片の相対位置に基づいて、前記ページ断片のローディング順序を決定し、前記ページ断片のローディング順序に応じて、前記分割ページの先後順序を決定してもよい。例えば、分割ページ生成部４１５は、１本の分割線を基準として分割された両側ページ断片に対して、第１ページ断片の左上側ピクセルが、第２ページ断片の左上側ピクセルよりさらに左側または上側に位置する場合、第１ページ断片、第２ページ断片の順にローディング順序を決定してもよい。このとき、第１ページ断片を利用して生成される第１分割ページが、第２ページ断片を利用して生成される第２分割ページの前ページになる。
【００７３】
表示制御部４１６は、表示部４５０を介して、ページを分割するためのユーザ・インターフェースを提供するように制御する。表示制御部４１６は、分割前のページ、ページに含まれるレイヤ、分割ページなどがユーザ・インターフェースによって表示されるように制御してもよい。
【００７４】
図４は、図１に示した漫画データ表示装置２００の内部構成の一例を示したブロック図である。
【００７５】
図４を参照すると、漫画データ表示装置２００は、制御部２１０、通信部２２０、表示部２３０、入力部２４０、保存部２５０、及び音響出力部２６０を含んでもよい。
【００７６】
制御部２１０は、表示部２３０を介して、漫画データが表示されるように制御する。制御部２１０は、漫画データ生成装置４００によって分割されたページが、適切に表示されるように制御する。すなわち、制御部２１０は、漫画データ生成装置４００によって、漫画作家の設定どおりにページが分割された分割ページを含む漫画データが表示されるように制御する。
【００７７】
選択的な実施形態において、制御部２１０は、漫画データに含まれる１以上のページ、ページに含まれる１以上のカット、前記カットに含まれる１以上のレイヤ、レイヤやカット単位で適用されるエフェクトが適切に表示されるように、漫画データの移動速度または移動距離を制御する。
【００７８】
さらに具体的に説明すると、制御部２１０は、漫画データ生成装置４００によってページが分割される際に、各分割ページに付与された位置識別子が同一である場合、前記分割ページ相互が重畳されて表示されるように、前記分割ページの表示位置を調整しながら、漫画データが表示されるように制御してもよい。
【００７９】
通信部２２０は、漫画データ表示装置２００と漫画データサーバ１００との間の通信を可能にする１以上の構成要素を含んでもよい。例えば、通信部２２０は、近距離通信部、移動通信部を含んでもよい。近距離通信部は、ブルートゥース（Ｂｌｕｅｔｏｏｔｈ（登録商標））通信部、ＢＬＥ通信部、近距離無線通信部、ＷＬＡＮ（Ｗｉ−Ｆｉ）通信部、ジグビー（ＺｉｇＢｅｅ）通信部、赤外線（ＩｒＤＡ）通信部、ＷＦＤ通信部、ＵＷＢ通信部、Ａｎｔ＋通信部などを含んでもよいが、これらに限定されない。移動通信部は、移動通信網上において、基地局、外部の端末、サーバのうち少なくとも１つと無線信号を送受信する。ここで、無線信号は、音声コール信号、画像通話コール信号、または文字／マルチメディアメッセージ送受信による多様な形態のデータを含んでもよい。通信部２２０は、漫画データサーバ１００と通信し、漫画データを受信してもよく、漫画データサーバ１００から、漫画データ表示のためのアプリケーションを受信してもよい。
【００８０】
表示部２３０は、漫画データ生成装置４００によって分割されたページを含む漫画データを表示する。表示部２３０は、漫画データに関するユーザイベントに対応して、前記漫画データを移動させながら表示してもよい。表示部２３０は、ユーザイベント及び漫画データに含まれる属性情報に基づく移動速度及び移動距離によって、漫画データを移動させながら表示してもよい。一方、表示部２３０とタッチパッドとがレイヤ構造をなし、タッチスクリーンとして構成される場合、表示部２３０は、出力装置以外に、入力装置としても使用される。表示部２３０は、液晶ディスプレイ、薄膜トランジスタ液晶ディスプレイ、有機発光ダイオード、フレキシブルディスプレイ、三次元（３Ｄ）ディスプレイ、電気泳動ディスプレイのうち少なくとも１つを含んでもよい。
【００８１】
入力部２４０は、ユーザが、漫画データ表示装置を制御するためのデータを入力する手段を意味する。例えば、入力部２４０には、キーパッド、ドームスイッチ、タッチパッド（接触式静電容量方式、圧力式抵抗膜方式、赤外線感知方式、表面超音波伝導方式、積分式張力測定方式、ピエゾ効果方式など）、ジョグホイール、ジョグスイッチなどがあるが、これらに限定されない。
【００８２】
保存部２５０は、通信部２２０を介して受信した漫画データを保存してもよい。
【００８３】
音響出力部２６０は、通信部で受信され、またはメモリに保存されたオーディオデータを出力する。また、音響出力部２６０は、漫画データに含まれる効果音、背景音に関する音響信号を出力する。このような音響出力部２６０には、スピーカ（ｓｐｅａｋｅｒ）、ブザー（ｂｕｚｚｅｒ）などが含まれてもよい。
【００８４】
また、音響出力部２６０は、振動モータ（図示せず）をさらに含んでもよい。振動モータは、振動信号を出力する。例えば、振動モータは、オーディオデータまたはイメージデータ（例えば、漫画データに含まれる効果音、背景音）の出力に対応して振動信号を出力してもよい。また、振動モータは、タッチスクリーンにタッチが入力される場合、振動信号を出力してもよい。
【００８５】
図５は、本発明の一実施形態における漫画データ生成方法を示したフローチャートである。
【００８６】
図５を参照すると、本発明の一実施形態における漫画データ生成方法は、分割入力制御部４１１が分割信号の入力を受領するように制御するステップ（Ｓ５１０）、分割処理部４１３がページ及び複数のレイヤを分割するステップ（Ｓ５２０）、分割処理部４１３が、レイヤ断片それぞれをページ断片のうち少なくともいずれか１つに含まれるように設定するステップ（Ｓ５３０）、及び分割ページ生成部４１５が、ページ断片それぞれについて分割ページを生成するステップ（Ｓ５４０）を含む。
【００８７】
まず、分割入力制御部４１１は、複数のレイヤを含むページを、２以上のページ断片に分割するための分割信号が受信されるように制御する（Ｓ５１０）。このとき、分割信号は、ページに対応するページ領域を横切る分割線に関する情報を含んでもよい。
【００８８】
次に、分割処理部４１３が、分割入力制御部４１１によって入力された分割信号に基づいて、ページをページ断片に分割し、複数のレイヤそれぞれをレイヤ断片に分割する（Ｓ５２０）。
【００８９】
次に、分割処理部４１３が、分割されたレイヤ断片それぞれを、分割されたページ断片のうち少なくともいずれか１つに含まれるように設定する（Ｓ５３０）。このとき、分割処理部４１３は、ページ領域及び分割線を利用して、新たに形成される閉領域それぞれに対応するように、前記ページをページ断片に分割してもよい。
【００９０】
次に、分割ページ生成部４１５は、ユーザ端末機において、前記ページ断片それぞれが異なる時間順序でローディングされるように、前記ページ断片それぞれについて、異なる順序を有する分割ページを生成してもよい（Ｓ５４０）。例えば、ページ及び分割ページは、いずれも異なる時間順序を有し、前のページから次のページの方向に順次ローディングされる。
【００９１】
以下、図６から図１０では、ページとカットとを容易に区別できるように、あるいはページとレイヤとを容易に区別できるように、ページを図示する場合は、長方形の右下角部を折り曲げた形状で図示している。
【００９２】
図６は、本発明の実施形態における漫画データ生成方法の一例である。
【００９３】
図６を参照すると、ページ６１０に、複数のカット６１１〜６１３が含まれ、ページ６１０に配置された分割線６５０によって、ページ６１０が第１分割ページ６１０ａ及び第２分割ページ６１０ｂに分割されることが分かる。
【００９４】
まず、図６（ａ）のように、ページ６１０に含まれる第１カット６１１と、第２カット６１２及び第３カット６１３との間に分割線６５０が配置される。
【００９５】
この場合、図６（ｂ）のように、漫画データ生成装置４００によって、ページ６１０は、分割線６５０を基準として、上側領域に対応する第１分割ページ６１０ａ、及び下側領域に対応する第２分割ページ６１０ｂに分割され、上側領域に対応する第１カット６１１は、第１分割ページ６１０ａに含まれ、下側領域に対応する第２カット６１２及び第３カット６１３は、第２分割ページ６１０ｂに含まれる。
【００９６】
このように、本発明の実施形態における漫画データ生成方法によれば、ページに配置された分割線に沿って、ページが少なくとも１以上の分割ページに分割される。
【００９７】
図７は、本発明の実施形態における漫画データ生成方法の他の例である。
【００９８】
図７を参照すると、ページ７１０にレイヤ７２１が含まれており、ページ７１０は、ページ領域７３０及びキャンバス領域７２０という概念を有し、キャンバス領域７２０上に配置された分割線７５０を介して、ページ７１０が分割されることが分かる。
【００９９】
図７（ｂ）について説明すると、ページ７１０は、ページ領域７３０において、漫画データ表示装置２００を介して表示領域として表示される、ページ領域７３０内の一領域であるキャンバス領域７２０を含んでもよい。ここで、レイヤ７２１は、キャンバス領域７２０の境界をまたいで存在しているため、漫画データ表示装置２００においては、キャンバス領域７２０内に位置するレイヤ７２１の一部だけが漫画データ表示装置２００を介して表示される。すなわち、図７（ａ）のように、ページ７１０は、漫画データ表示装置２００を介して、レイヤ７２１の一部がページ７１０に含まれた状態で表示される。
【０１００】
ここで、図７（ｃ）のように、ページ領域７３０及びキャンバス領域７２０を同時に横切る分割線７５０が配置される。
【０１０１】
この場合、図７（ｄ）のように、漫画データ生成装置４００によって、ページ領域７３０は、分割線７５０を基準として、上側領域に対応する第１分割ページ領域７３０ａ、及び下側領域に対応する第２分割ページ領域７３０ｂに分割され、上側領域のみに対応するレイヤ７２１は、分割されないまま、第１分割ページ領域７３０ａに含まれる。すなわち、図７（ｅ）のように、ページ７１０は、レイヤ７２１を含む第１分割ページ７１０ａ、及びレイヤ７２１を含まない第２分割ページ７１０ｂに分割される。
【０１０２】
ここで、分割線７５０がページ領域７３０を横切る場合であっても、キャンバス領域７２０を横切らない場合は、ページ７１０を分割しても、いずれか１つの分割ページに表示領域が存在しないこともあるので、分割線７５０は、キャンバス領域７２０を横切るように配置されることが望ましい。分割線７５０がキャンバス領域７２０を横切って配置される場合、キャンバス領域７２０は、第１キャンバス領域７２０ａと第２キャンバス領域７２０ｂとに分割される。
【０１０３】
このように、本発明の実施形態における漫画データ生成方法によれば、ページのキャンバス領域７２０に配置された分割線７５０に沿って、ページ７１０が少なくとも１以上の分割ページに分割される。
【０１０４】
図８は、本発明の実施形態における漫画データ生成方法のさらに他の例である。
【０１０５】
図８を参照すると、ページに複数のレイヤ８２１〜８２３が含まれ、ページに配置された分割線８５０によって、ページが第１分割ページ８１０ａ及び第２分割ページ８１０ｂに分割され、分割線８５０にまたがるレイヤ８２１も共に分割され、分割されたレイヤ（８２１ａ、８２１ｂ）が第１分割ページ８１０ａ及び第２分割ページ８１０ｂにそれぞれ含まれることが分かる。
【０１０６】
まず、図８（ａ）のように、ページ領域８３０には、３つのレイヤ８２１〜８２３が含まれ、図８（ｂ）のように、ページ８１０上に、１つのレイヤ８２１だけにかかるように、分割線８５０が配置される。
【０１０７】
この場合、図８（ｃ）のように、漫画データ生成装置４００によって、ページ８１０は、分割線８５０を基準として、左側領域に対応する第１分割ページ８１０ａ、及び右側領域に対応する第２分割ページ８１０ｂに分割され、分割線８５０にまたがるレイヤ８２１は、左側領域に対応する第１分割レイヤ８２１ａ、及び右側領域に対応する第２分割レイヤ８２１ｂに分割される。ここで、第１分割レイヤ８２１ａは、第１分割ページ領域８３０ａ内に位置するので、第１分割ページ８１０ａに含まれ、第２分割レイヤ８２１ｂは、第２分割ページ領域８３０ｂ内に位置するので、第２分割ページ８１０ｂに含まれる。他のレイヤ８２２、８２３は、分割線８５０にかからないので、分割されないまま、第１分割ページ領域８３０ａ内に位置するレイヤ８２２は、第１分割ページ８１０ａに含まれ、第２分割ページ領域８３０ｂ内に位置するレイヤ８２３は、第２分割ページ８１０ｂに含まれる。
【０１０８】
このように、本発明の実施形態における漫画データ生成方法によれば、ページに含まれるレイヤも、分割線に沿って分割され、それぞれに対応する分割ページに含まれる。
【０１０９】
図９は、本発明の実施形態における漫画データ生成方法及び漫画データ表示方法の一例である。
【０１１０】
図９を参照すると、漫画データ生成装置４００によって、第１ページ断片９３０ａを含み、第２ページ断片に対応する領域９６０ａが空白領域であり、分割前のページと同一の大きさ（同一サイズ）を有する第１分割ページ９１０ａと、第２ページ断片９３０ｂを含み、第１ページ断片に対応する領域９６０ｂが空白領域であり、分割前のページと同一の大きさ（同一サイズ）を有する第２分割ページ９１０ｂが生成される。そして、これら第１分割ページ９１０ａ及び第２分割ページ９１０ｂは、漫画データ表示装置２００によって異なる時間順序で表示され、同じ位置に重畳して表示される。
【０１１１】
まず、図９（ａ）に示すように、ページに分割線９５０が配置され、図９（ｂ）に示すように、漫画データ生成装置４００によって、ページ９１０は、分割線９５０を基準として、左側領域の第１ページ断片９３０ａを含む第１分割ページ９１０ａ、及び右側領域の第２ページ断片９３０ｂを含む第２分割ページ９１０ｂに分割される。第１分割ページ９１０ａは、分割前のページ９１０と同一の大きさであるが、第２ページ断片に対応する領域９６０ａは空白領域である。第２分割ページ９１０ｂは、分割前のページ９１０と同一の大きさであるが、第１ページ断片に対応する領域９６０ｂは空白領域である。
【０１１２】
次に、図９（ｃ）に示すように、第１分割ページ９１０ａは、第１時刻ｔに表示され、第２分割ページ９１０ｂは、第１分割ページ９１０ａより後のページであり、第１時刻ｔより後の第２時刻ｔ＋１に表示され、同じ位置に重畳して表示される。
【０１１３】
すなわち、図９（ｄ）に示すように、第１時刻ｔには、漫画データ表示装置２００の表示部２３０によって、第１分割ページ９１０ａだけが表示され、図９（ｅ）に示すように、第２時刻ｔ＋１には、第１分割ページ９１０ａと同じ位置に、第２分割ページ９１０ｂが重畳して表示される。
【０１１４】
このように、本発明の実施形態にかかる漫画データ生成方法及び漫画データ表示方法によれば、空白領域を含む複数の分割ページを生成し、漫画データ表示装置によって同一位置に重畳表示することにより、分割ページを分割前のページのような位置に自然に表示することができる。
【０１１５】
図１０は、本発明の実施形態にかかる漫画データ生成方法のさらに他の例である。
【０１１６】
図１０を参照すると、ページ１０１０は、複数のカット１０１１〜１０１３を含み、複数のカット１０１１〜１０１３の間に表示された候補分割線１０５１，１０５２をユーザ１０００が選択することにより、ページ１０１０が第１分割ページ１０１０ａ、第２分割ページ１０１０ｂ及び第３分割ページ１０１０ｃに分割されることが分かる。
【０１１７】
まず、図１０（ａ）に示すように、漫画データ生成装置４００によって、ページ１０１０の第１カット１０１１と、第２カット１０１２及び第３カット１０１３との間の余白に、第１候補分割線１０５１が引かれる。また、第２カット１０１２と第３カット１０１３との間の余白には、第２候補分割線１０５２が引かれる。候補分割線は、カットとカットとの間の余白であって、分割可能な位置に、機械的または自動的に生成されてもよい。
【０１１８】
次に、図１０（ｂ）に示すように、ユーザ１０００が、第１候補分割線１０５１を選択し（１００１）、図１０（ｃ）に示すように、第２候補分割線１０５２を選択する（１００２）。ここで、選択された候補分割線１０５１，１０５２は、線の太さあるいは線の種類が変更されることにより、選択された状態であるか、あるいは選択解除状態（選択されていない状態）であるかが異なる態様で表示されてもよい。
【０１１９】
次に、図１０（ｄ）に示すように、漫画データ生成装置４００によって選択された候補分割線１０５１，１０５２を分割線として、ページ１０１０が、第１分割ページ１０１０ａ、第２分割ページ１０１０ｂ及び第３分割ページ１０１０ｃに分割される。図示しないが、複数の候補分割線のうち、ユーザによって選択されなかった候補分割線が存在する場合は、当該候補分割線を分割線とするページの分割は行われない。
【０１２０】
ここで、２本の分割線を利用して分割する方法として、２本の分割線、及びページ１０１０の領域を利用して新たに形成される３つの閉領域それぞれに対応するように、ページ１０１０が分割される。すなわち、上側領域に対応する第１分割ページ１０１０ａ、左下側領域に対応する第２分割ページ１０１０ｂ、及び右下側領域に対応する第３分割ページ１０１０ｃがそれぞれ生成される。
【０１２１】
図１０（ｄ）に示すように、第２分割ページ１０１０ｂは、第１分割ページ１０１０aと同一の大きさ（同一サイズ）であるが、第３カットに対応する領域は空白領域である。第３分割ページ１０１０ｃは、第１分割ページ１０１０aと同一の大きさ（同一サイズ）であるが、第２カットに対応する領域は空白領域である。
【０１２２】
また、図示しないが、図９（ｃ）と同様に、第２分割ページ１０１０ｂは、第１時刻ｔに表示され、第３分割ページ１０１０ｃは、第２分割ページ１０１０ｂより後のページであり、第１時刻ｔより後の第２時刻ｔ＋１に表示され、同じ位置に重畳して表示されてもよい。
【０１２３】
このように、本発明の実施形態にかかる漫画データ生成方法によれば、ページに含まれる複数のカットの間に自動的に候補分割線が表示され、ユーザが選択した候補分割線を分割線としてページを分割することができる。
【０１２４】
以上で説明した本発明の実施形態は、コンピュータ上で多様な構成要素を介して実行されるコンピュータプログラムの形態によって具現され、かようなコンピュータプログラムは、コンピュータで読取可能な媒体に記録される。この場合、該媒体は、ハードディスク、フロッピー（登録商標）ディスク及び磁気テープのような磁気媒体；ＣＤ（ｃｏｍｐａｃｔ  ｄｉｓｃ）−ＲＯＭ（ｒｅａｄ  ｏｎｌｙ  ｍｅｍｏｒｙ）及びＤＶＤ（ｄｉｇｉｔａｌ  ｖｅｒｓａｔｉｌｅ  ｄｉｓｋ）のような光記録媒体；フロプティカルディスク（ｆｌｏｐｔｉｃａｌ  ｄｉｓｋ）のような磁気・光媒体（ｍａｇｎｅｔｏ−ｏｐｔｉｃａｌ  ｍｅｄｉｕｍ）；及びＲＯＭ、ＲＡＭ（ｒａｎｄｏｍ  ａｃｃｅｓｓ  ｍｅｍｏｒｙ）、フラッシュメモリのような、プログラム命令語を保存して実行するように特別に構成されたハードウェア装置を含んでもよい。さらに、該媒体は、ネットワーク上で伝送可能な形態で具現される無形の媒体を含み、例えば、ソフトウェア形態またはアプリケーション形態で具現され、ネットワークを介して伝送及び流通が可能な形態の媒体であってもよい。
【０１２５】
一方、前記コンピュータプログラムは、本発明のために特別に設計されて構成されたものであってもよく、コンピュータソフトウェア分野の当業者に公知であって使用可能なものであってもよい。コンピュータプログラムの例としては、コンパイラによって作成されるような機械語コードだけではなく、インタ−プリタなどを使用して、コンピュータによって実行される高級言語コードも含まれる。
【０１２６】
本発明において説明する特定の実施態様は、一実施形態であり、いかなる意味においても、本発明の範囲を限定するものではない。明細書の簡潔さのために、従来の電子的な構成、制御システム、ソフトウェア、前記システムの他の機能的な側面の記載は省略する。また、図面に示された構成要素間の線の連結または連結部材は、機能的な連結、及び／または物理的または回路的な連結を例示的に示したものであり、実際の装置では、代替可能であったり追加されたりする多様な機能的な連結、物理的な連結または回路連結として示される。また、「必須の」、「重要な」というような具体的な言及がない限り、本発明の適用のために必ずしも必須の構成要素ではないこともある。
【０１２７】
従って、本発明の思想は、前述の実施形態に限って定められるものではなく、特許請求の範囲の記載だけではなく、該特許請求の範囲の記載と均等であるか、あるいはそれらから等価的に変更された全ての範囲は、本発明の思想の範疇に属するものである。
【産業上の利用可能性】
【０１２８】
本発明の漫画データ生成装置、その方法、そのコンピュータプログラム、及び漫画データ表示装置は、例えば、Ｗｅｂ漫画関連の技術分野に効果的に適用可能である。
【符号の説明】
【０１２９】
１０        漫画データ提供システム
１００        漫画データサーバ
２００        漫画データ表示装置
２０１，４０１        パソコン
２０２，４０２        携帯用端末機
２１０，４１０        制御部
２２０，４２０        通信部
２３０，４５０        表示部
２４０，４４０        入力部
２５０，４３０        保存部
２６０        音響出力部
３００        通信網
４００        漫画データ生成装置
４１１        分割入力制御部
４１３        分割処理部
４１５        分割ページ生成部
４１６        表示制御部
６１０，７１０，８１０，９１０，１０１０        ページ
６１０ａ，７１０ａ，８１０ａ，９１０ａ，１０１０ａ        第１分割ページ
６１０ｂ，７１０ｂ，８１０ｂ，９１０ｂ，１０１０ｂ        第２分割ページ
６１１，６１２，６１３，１０１１，１０１２，１０１３        カット
７２０        キャンバス領域
７２０ａ        第１キャンバス領域
７２０ｂ        第２キャンバス領域
７２１，８２１，８２２，８２３        レイヤ
７３０，８３０        ページ領域
７３０ａ，８３０ａ        第１分割ページ領域
７３０ｂ，８３０ｂ        第２分割ページ領域
６５０，７５０，８５０，９５０        分割線
８２１ａ        第１分割レイヤ
８２１ｂ        第２分割レイヤ
９３０ａ        第１ページ断片
９３０ｂ        第２ページ断片
９６０ａ        第２ページ断片に対応する領域
９６０ｂ        第１ページ断片に対応する領域
１０００        ユーザ
１００１，１００２        選択
１０１０ｃ        第３分割ページ
１０５１，１０５２        候補分割線
【図１】
2016177799.tif 000003
【図２】
2016177799.tif 000004
【図３】
2016177799.tif 000005
【図４】
2016177799.tif 000006
【図５】
2016177799.tif 000007
【図６】
2016177799.tif 000008
【図７】
2016177799.tif 000009
【図８】
2016177799.tif 000010
【図９】
2016177799.tif 000011
【図１０】
2016177799.tif 000012